(57)【要約】【課題】Ｗｅｂドキュメントを提供する者が、効果的に自社の宣伝広告等のコメントを検索結果に含むことが可能なサーバ、方法を提供する。【解決手段】Ｗｅｂドキュメントを検索するサーバは、Ｗｅｂドキュメントを提供する提供者端末１００からＷｅｂドキュメントに関する提供者コメントを取得し、Ｗｅｂドキュメントへのリンクデータと提供者コメントとを関係づけて、提供者コメント記憶部３７０に記憶し、検索される対象となる検索キーワードをユーザ端末２００から受信し、この検索キーワードの受信に応じて、検索部３５５が、当該検索キーワードに基づいて、Ｗｅｂドキュメントを検索し、コメント抽出部３５７が、検索されたＷｅｂドキュメントに関係づけられたリンクデータ、及び提供者コメントを含む検索結果データをユーザ端末に送信する。【選択図】図１
2007156687.tif 000002
【特許請求の範囲】
【請求項１】
Ｗｅｂドキュメントを検索するサーバであって、
前記Ｗｅｂドキュメントを提供する提供者端末から、前記Ｗｅｂドキュメントに関する提供者コメントを取得するコメント取得手段と、
前記Ｗｅｂドキュメントへのリンクデータと前記提供者コメントとを関係づけて、記憶する記憶手段と、
検索される対象となる検索キーワードをユーザ端末から受信するキーワード受信手段と、
前記検索キーワードの受信に応じて、当該検索キーワードに基づいて、前記Ｗｅｂドキュメントを検索する検索手段と、
前記検索手段にて検索されたＷｅｂドキュメントに関係づけられた、前記提供者コメントを抽出する抽出手段と、
前記検索されたＷｅｂドキュメントのリンクデータ、及び前記抽出手段にて抽出した提供者コメントを含む検索結果データを前記ユーザ端末に送信する送信手段と、
を備えた、Ｗｅｂドキュメントを検索するサーバ。
【請求項２】
請求項１に記載のＷｅｂドキュメントを検索するサーバであって、
前記コメント取得手段は、前記Ｗｅｂドキュメントを提供する提供者端末に対して入力ウィンドウに関するデータを送信し、当該入力ウィンドウに対して前記提供者端末に入力された提供者コメントを前記提供者端末から受信することで取得する、Ｗｅｂドキュメントを検索するサーバ。
【請求項３】
請求項１に記載のＷｅｂドキュメントを検索するサーバであって、
前記コメント取得手段は、入力ウィンドウを介して入力された提供者コメントを一時的に記憶した提供者端末に対して、所定の時間間隔で提供者コメントを取得する、Ｗｅｂドキュメントを検索するサーバ。
【請求項４】
請求項１から請求項３のいずれかに記載のＷｅｂドキュメントを検索するサーバであって、
前記提供者コメントの使用に関する課金データを生成し、記憶する課金データ記憶手段と、
前記課金データを前記提供者端末に送信する課金データ送信手段と、
を備えた、Ｗｅｂドキュメントを検索するサーバ。
【請求項５】
請求項４に記載のＷｅｂドキュメントを検索するサーバであって、
前記課金データ記憶手段は、前記提供者コメントのデータ量に基づいて、課金データを生成し、記憶する、Ｗｅｂドキュメントを検索するサーバ。
【請求項６】
請求項１から請求項５のいずれかに記載のＷｅｂドキュメントを検索するサーバであって、
前記提供者コメントに関係づけられた有効期限データを受信する有効期限データ受信手段と、
前記有効期限データ受信手段が受信した有効期限データを記憶する有効期限データ記憶手段と、
前記有効期限データ記憶手段に記憶された前記有効期限データに基づいて、前記記憶手段に記憶された前記提供者コメントを削除する削除手段を備える、Ｗｅｂドキュメントを検索するサーバ。
【請求項７】
コンピュータにて実行されるＷｅｂドキュメントを検索する方法であって、
前記Ｗｅｂドキュメントに関する提供者コメントを取得するステップと、
前記Ｗｅｂドキュメントへのリンクデータと前記提供者コメントとを関係づけて、記憶するステップと、
検索される対象となる検索キーワードをユーザ端末から受信する受信ステップと、
前記検索キーワードの受信に応じて、当該検索キーワードに基づいて、前記Ｗｅｂドキュメントを検索するステップと、
前記検索するステップにて検索されたＷｅｂドキュメントに関係づけられた、前記提供者コメントを抽出するステップと、
前記検索されたＷｅｂドキュメントのリンクデータ、及び前記抽出するステップにて抽出した提供者コメントを含む検索結果データを前記ユーザ端末に送信するステップと、
を備えた、Ｗｅｂドキュメントを検索する方法。
【請求項８】
請求項７に記載のＷｅｂドキュメントを検索する方法であって、
前記コメントを取得するステップでは、前記Ｗｅｂドキュメントを提供する提供者端末に対して入力ウィンドウに関するデータを送信し、当該入力ウィンドウに対して前記提供者端末に入力された提供者コメントを前記提供者端末から受信することで取得する、Ｗｅｂドキュメントを検索する方法。
【請求項９】
請求項７に記載のＷｅｂドキュメントを検索する方法であって、
前記コメントを取得するステップでは、入力ウィンドウを介して入力された提供者コメントを一時的に記憶した提供者端末に対して、所定の時間間隔で提供者コメントを取得する、Ｗｅｂドキュメントを検索する方法。
【請求項１０】
請求項７から請求項９のいずれかに記載のＷｅｂドキュメントを検索する方法であって、
前記提供者コメントの使用に対する課金データを生成し、記憶するステップと、
前記課金データを前記提供者端末に送信するステップと、
を備えた、Ｗｅｂドキュメントを検索する方法。
【請求項１１】
請求項７から請求項１０のいずれかに記載のＷｅｂドキュメントを検索する方法であって、
前記提供者端末から前記提供者コメントに関係づけた有効期限データを受信するステップと、
受信した前記有効期限データを記憶するステップと、
前記記憶するステップにて記憶された前記有効期限データに基づいて、記憶された前記提供者コメントを削除するステップと、
を備える、Ｗｅｂドキュメントを検索する方法。
【発明の詳細な説明】
【技術分野】
【０００１】
本発明は、検索サーバ、検索方法に関する。特に、コンピュータ等の情報通信端末により、通信回線を介して所定の検索キーワードに関する情報を提示する検索サーバ、検索方法に関する。
【背景技術】
【０００２】
従来より、ユーザが、ユーザ端末に検索キーワードを入力し、入力された検索キーワードからサーバ等に記憶された記憶装置内の情報を検索し、検索結果を要求するといった検索システム、検索方法が知られている。
【０００３】
一般に、ユーザ端末を操作するユーザは、検索サーバにアクセスして、Ｗｅｂドキュメントの検索を行い、検索結果を得る。ここで、検索結果に対して、この検索結果を提供したユーザからのコメントの入力を受け付けて、このコメントを他のユーザに参照させることで、ユーザに効率的な検索を行うシステムが知られている（例えば、特許文献１）。
【特許文献１】特開平１０−２５４８８６号公報
【発明の開示】
【発明が解決しようとする課題】
【０００４】
しかしながら、特許文献１のシステムは、ユーザに効率的な検索を行わせることを目的としたシステムであるため、検索される対象となるＷｅｂドキュメントを提供する者にとってのメリットがない。すなわち、検索を行うユーザにとっては、システムを使用して、検索を容易に行うことが可能となるが、この検索結果からリンクされるＷｅｂドキュメント提供者側は、この検索システムの検索結果をそのまま受け入れるだけであり、特にメリットはない。一般に、企業等のＷｅｂドキュメント提供者側にとっては、Ｗｅｂドキュメントのリンクを検索結果として提供する際に、自社の宣伝広告を提供できることが望ましい。すなわち、Ｗｅｂドキュメントを提供する者にとっては、ユーザに対して検索結果を提供する際に、効果的に自社の宣伝広告を掲載できることが望まれる。
【０００５】
本発明の目的は、Ｗｅｂドキュメントを提供する者が、効果的に自社の宣伝広告等のコメントを検索結果に含むことが可能なサーバ、方法を提供することである。
【課題を解決するための手段】
【０００６】
（１）  Ｗｅｂドキュメントを検索するサーバであって、
前記Ｗｅｂドキュメントを提供する提供者端末から、前記Ｗｅｂドキュメントに関する提供者コメントを取得するコメント取得手段（例えば、後述する制御部３５０、通信部３１０など）と、
前記Ｗｅｂドキュメントへのリンクデータと前記提供者コメントとを関係づけて、記憶する記憶手段（例えば、後述する制御部３５０など）と、
検索される対象となる検索キーワードをユーザ端末から受信するキーワード受信手段（例えば、後述する制御部３５０、通信部３１０など）と、
前記検索キーワードの受信に応じて、当該検索キーワードに基づいて、前記Ｗｅｂドキュメントを検索する検索手段（例えば、後述する検索部３５５など）と、
前記検索手段にて検索されたＷｅｂドキュメントに関係づけられた、前記提供者コメントを抽出する抽出手段（例えば、後述するコメント抽出部３５７など）と、
前記検索されたＷｅｂドキュメントのリンクデータ、及び前記抽出手段にて抽出した提供者コメントを含む検索結果データを前記ユーザ端末に送信する送信手段（例えば、後述する制御部３５０、通信部３１０など）と、
を備えた、Ｗｅｂドキュメントを検索するサーバ。
【０００７】
（１）に記載のＷｅｂドキュメントを検索するサーバによれば、Ｗｅｂドキュメントを提供する提供者端末から提供者コメントを取得し、Ｗｅｂドキュメントへのリンクデータと提供者コメントとを関係づけて、記憶する。そして、サーバは、検索される対象となる検索キーワードをユーザ端末から受信し、この受信に応じて、当該検索キーワードに基づいて、Ｗｅｂドキュメントを検索する。さらに、サーバは、検索されたＷｅｂドキュメントに関係づけられた、提供者コメントを抽出し、検索されたＷｅｂドキュメントのリンクデータ、及び抽出した提供者コメントを含む検索結果データをユーザ端末に送信する。したがって、リンクデータに関係づけられた提供者コメントを検索結果データに含んでユーザ端末に送信することで、提供者側のコメントをユーザ端末に提供することが可能である。したがって、例えば、提供者が提供するコメントを自社の宣伝広告に使用すれば、ユーザ端末を操作するユーザに対して、効果的な宣伝をすることが可能である。すなわち、Ｗｅｂドキュメントを提供する者が、効果的に自社の宣伝広告を検索結果に含むことが可能なシステム、方法を提供することが可能である。
【０００８】
（２）  （１）に記載のサーバであって、
前記コメント取得手段は、前記Ｗｅｂドキュメントを提供する提供者端末に対して入力ウィンドウ（例えば、後述する入力ウィンドウ５００など）に関するデータを送信し、当該入力ウィンドウに対して前記提供者端末に入力された提供者コメントを前記提供者端末から受信することで取得する、Ｗｅｂドキュメントを検索するサーバ。
【０００９】
（２）に記載のＷｅｂドキュメントを検索するサーバでは、コメント取得手段が、Ｗｅｂドキュメントを提供する提供者端末に対して入力ウィンドウに関するデータを送信し、この入力ウィンドウに対して前記提供者端末に入力された提供者コメントを前記提供者端末から受信することで取得する。したがって、提供者端末を操作することで、提供者は自由に提供者コメントを入力し、これを検索結果としてユーザ端末に検索結果とともに送信することが可能である。
【００１０】
（３）  （１）に記載のＷｅｂドキュメントを検索するサーバであって、
前記コメント取得手段は、入力ウィンドウを介して入力された提供者コメントを一時的に記憶した提供者端末に対して、所定の時間間隔で提供者コメントを取得する（例えば、後述する図１０のクローラ処理ルーチンなど）、Ｗｅｂドキュメントを検索するサーバ。
【００１１】
（３）に記載のＷｅｂドキュメントを検索するサーバでは、コメント取得手段が、入力ウィンドウを介して入力された提供者コメントを一時的に記憶した提供者端末に対して、所定の時間間隔で提供者コメントを取得する。したがって、Ｗｅｂドキュメントを検索するサーバが、記憶された提供者コメントを提供者端末に所定の時間間隔で取得しにいくため、提供者は、提供者端末に入力ウィンドウを介して提供者コメントを予め記憶しておくだけでよいという効果を奏する。ここで、提供者コメントを提供者端末に所定の時間間隔で取得しにいくコメント取得手段が、Ｗｅｂドキュメントを検索するサーバに備えられていなくてもよく、Ｗｅｂドキュメントを検索するサーバと通信可能な他のサーバに備えられていてもよい。
【００１２】
（４）  （１）から（３）に記載のＷｅｂドキュメントを検索するサーバであって、
前記提供者コメントの使用に関する課金データを生成し、記憶する課金データ記憶手段（例えば、後述する制御部３５０など）と、
前記課金データを前記提供者端末に送信する課金データ送信手段（例えば、後述する制御部３５０、通信部３１０など）と、
を備えた、Ｗｅｂドキュメントを検索するサーバ。
【００１３】
（４）に記載のＷｅｂドキュメントを検索するサーバによれば、提供者コメントの使用に関する課金データを生成し、これを記憶し、課金データを提供者端末に送信する。したがって、Ｗｅｂドキュメントを提供する提供者に対して、提供者コメントのデータ量に応じた課金に関する処理を行うことが可能であり、この課金データを提供者端末に送信することで、円滑な課金を提供者端末に対して促すことが可能である。
【００１４】
（５）  （４）に記載のＷｅｂドキュメントを検索するサーバであって、
前記課金データ記憶手段は、前記提供者コメントのデータ量に基づいて、課金データを生成し、記憶する、Ｗｅｂドキュメントを検索するサーバ。
【００１５】
（５）に記載のＷｅｂドキュメントを検索するサーバによれば、課金データ記憶手段は、提供者コメントのデータ量に基づいて、課金データを生成し、記憶する。したがって、提供者が所望する提供者コメントのデータ量に応じた課金を提供者に対して行うことが可能である。
【００１６】
（６）  （１）から（５）のいずれかに記載のＷｅｂドキュメントを検索するサーバであって、
前記提供者コメントに関係づけられた有効期限データを受信する有効期限データ受信手段（例えば、後述する制御部３５０、通信部３１０など）と、
前記有効期限データ受信手段が受信した有効期限データを記憶する有効期限データ記憶手段（例えば、後述する制御部３５０、リンクデータ記憶部３６０など）と、
前記有効期限データ記憶手段に記憶された前記有効期限データに基づいて、前記記憶手段に記憶された前記提供者コメントを削除する削除手段（例えば、後述する制御部３５０など）を備える、Ｗｅｂドキュメントを検索するサーバ。
【００１７】
（３）に記載のＷｅｂドキュメントを検索するサーバによれば、提供者端末から提供者コメントに関係づけた有効期限データの入力を受け、有効期限データを受信し、受信した有効期限データを記憶し、記憶された有効期限データに基づいて、記憶された提供者コメントを削除する。
よって、提供者コメントに対応した有効期限データに基づいて、サーバが、提供者コメントを削除するため、提供者コメントを提供する提供者は、提供者コメントについての期限についての管理の手間を省くことが可能である。例えば、提供者コメントが、○月×日まで適用されるコメントであれば、このコメントに対応した有効期限を設定することで、○月×日に自動的に提供者コメントを削除し、結果として、この日以降に、提供者コメントを検索結果に含めることがなくなるといった効果がある。
【００１８】
（７）  コンピュータにて実行されるＷｅｂドキュメントを検索する方法であって、
前記Ｗｅｂドキュメントに関する提供者コメントを取得するステップと、
前記Ｗｅｂドキュメントへのリンクデータと前記提供者コメントとを関係づけて、記憶するステップと、
検索される対象となる検索キーワードをユーザ端末から受信する受信ステップと、
前記検索キーワードの受信に応じて、当該検索キーワードに基づいて、前記Ｗｅｂドキュメントを検索するステップと、
前記検索するステップにて検索されたＷｅｂドキュメントに関係づけられた、前記提供者コメントを抽出するステップと、
前記検索されたＷｅｂドキュメントのリンクデータ、及び前記抽出するステップにて抽出した提供者コメントを含む検索結果データを前記ユーザ端末に送信するステップと、
を備えた、Ｗｅｂドキュメントを検索する方法。
【００１９】
（８）  （７）に記載のＷｅｂドキュメントを検索する方法であって、
前記コメントを取得するステップでは、前記Ｗｅｂドキュメントを提供する提供者端末に対して入力ウィンドウに関するデータを送信し、当該入力ウィンドウに対して前記提供者端末に入力された提供者コメントを前記提供者端末から受信することで取得する、Ｗｅｂドキュメントを検索する方法。
【００２０】
（９）  （７）に記載のＷｅｂドキュメントを検索する方法であって、
前記コメントを取得するステップでは、入力ウィンドウを介して入力された提供者コメントを一時的に記憶した提供者端末に対して、所定の時間間隔で提供者コメントを取得する、Ｗｅｂドキュメントを検索する方法。
【００２１】
（１０）  （７）から（９）のいずれかに記載のＷｅｂドキュメントを検索する方法であって、
前記提供者コメントの使用に対する課金データを生成し、記憶するステップと、
前記課金データを前記提供者端末に送信するステップと、
を備えた、Ｗｅｂドキュメントを検索する方法。
【００２２】
（１１）  （７）から（１０）のいずれかに記載のＷｅｂドキュメントを検索する方法であって、
前記提供者端末から前記提供者コメントに関係づけた有効期限データを受信するステップと、
受信した前記有効期限データを記憶するステップと、
前記記憶するステップにて記憶された前記有効期限データに基づいて、記憶された前記提供者コメントを削除するステップと、
を備える、Ｗｅｂドキュメントを検索する方法。
【発明の効果】
【００２３】
本発明によれば、Ｗｅｂドキュメントを提供する者が、効果的に自社の宣伝広告等のコメントを検索結果に含むことが可能なサーバ、方法を提供することが可能である。
【発明を実施するための最良の形態】
【００２４】
以下、本発明の実施形態について、図面に基づいて説明する。
図１は、本発明の好適な実施形態である検索システム１の構成図である。検索システム１は、検索を実行する検索サーバ３００と、Ｗｅｂドキュメントを提供する提供者端末１００と、検索処理を依頼するユーザ端末２００とを備える。検索サーバ３００と、提供者端末１００と、ユーザ端末２００とは、通信回線ネットワーク３０を介して接続される。ここで、通信回線ネットワーク３０は、公衆回線網、インターネットであってもよいし、専用線、ＬＡＮ（Local  Area  Network）であってもよい。
【００２５】
検索サーバ３００は、ユーザ端末２００に対して、提供者端末１００が提供するＷｅｂドキュメントへのリンクデータと提供者コメントとを、ユーザ端末２００に送信する情報処理装置であって、コンピュータであってよい。検索サーバ３００は、通信回線ネットワーク３０と接続されて通信可能にする通信部３１０と、情報、データを制御する制御部３５０と、提供者端末１００が提供するＷｅｂドキュメントへのリンクデータが記憶されるリンクデータ記憶部３６０と、提供者端末１００から受信する提供者コメントが記憶される提供者コメント記憶部３７０とを備える。
【００２６】
検索サーバ３００の制御部３５０は、図２、図３にて後述する、メイン処理、提供者コメント記憶処理、提供者コメント削除処理を実行する制御装置であって、ＣＰＵ（Central  Processing  Unit）であってよい。制御部３５０は、例えば、提供者端末１００等のＷｅｂサーバを巡回（ロボット型検索方法）する処理を行い、当該Ｗｅｂサーバが提供するＷｅｂドキュメントに対するリンクデータを生成し、このリンクデータをリンクデータ記憶部３６０に記憶する。
【００２７】
ここで、制御部３５０は、リンクデータとともに、このリンクデータに対応したＷｅｂドキュメント内に記載されたキーワードを、検索キーワードと関連づけてリンクデータ記憶部３６０に記憶する。ここで、Ｗｅｂドキュメント内に記載されたキーワードとは、ＷｅｂドキュメントがＨＴＭＬ（Hyper  Text  Markup  Language）形式で構成されている場合に、メタネームのタグの情報であってよい。
【００２８】
制御部３５０は、ユーザ端末２００から入力された検索キーワードに対して検索を実行する検索部３５５と、この検索結果に対応した提供者コメントを抽出するコメント抽出部３５７とを備える。
【００２９】
リンクデータ記憶部３６０は、制御部３５０によりリンクデータが記憶される装置であって、ハードディスク装置であってよい。ここで、リンクデータとは、提供者端末１００等のＷｅｂサーバが提供するＷｅｂドキュメントをユーザ端末２００が受信するための情報、データであり、例えば、ＵＲＬ（Uniform  Resource  Locator）もしくは、ＵＲＬに関する情報、データであってよい。また、リンクデータとは、Ｗｅｂドキュメントを受信するためのデータに関係づけられたデータ（例えば、検索結果として、ユーザ端末２００に表示される索引データ）を含んでもよい。
【００３０】
提供者コメント記憶部３７０は、制御部３５０により提供者コメントが記憶される装置であって、ハードディスク装置であってよい。ここで、提供者コメントとは、提供者端末１００等のＷｅｂサーバから入力されるコメントであって、検索結果としてのリンクデータに付随してユーザ端末２００に送信される情報である。
【００３１】
提供者端末１００は、ユーザ端末２００からの要求に応じて、ユーザ端末にＷｅｂドキュメントを送信するコンピュータであって、Ｗｅｂサーバであってよく、Ｗｅｂドキュメントをユーザ端末２００に送信するコンピュータである。ここで、Ｗｅｂドキュメントとは、提供者がユーザ端末に送信する情報を含む電子データであってよく、企業の宣伝、広告に関する情報が含まれてよい。Ｗｅｂドキュメントは、提供者端末１００に備えられたＷｅｂブラウザを介してユーザ端末２００の表示部１３０に表示される。
【００３２】
提供者端末１００は、提供者からの提供者コメント等の入力を受け付ける入力部１２０と、入力された情報、データを表示する表示部１３０と、提供者端末１００が処理する情報、データを制御する制御部１５０と、通信回線ネットワーク３０に接続して通信を実現する通信部１１０とを備える。
【００３３】
ユーザ端末２００は、検索サーバ３００に検索させる検索キーワードの入力を受けて、検索サーバ３００に送信し、検索サーバからの検索結果を表示する情報処理装置、コンピュータまたは、携帯電話等の携帯情報端末であってよい。ユーザ端末２００は、ユーザからの入力を受け付ける入力部２２０と、入力された情報、データを表示する表示部２３０と、ユーザ端末２００が処理する情報、データを制御する制御部２５０と、通信回線ネットワーク３０に接続して通信を実現する通信部２１０とを備える。
【００３４】
次に、検索サーバ３００の制御部３５０が実行するメイン処理について、図２のフローチャートを用いて説明する。ユーザが検索キーワードを、入力部２２０を介して入力し、通信部２１０を介して検索キーワードが検索サーバ３００に送信される。
【００３５】
検索サーバ３００の制御部３５０は、ユーザ端末２００から送信された検索キーワードを受信したかを判断し（ステップＳ０１）、ユーザ端末２００から送信された検索キーワードを受信したと判断した場合には、この検索キーワードに対応したリンクデータの検索処理を行う（ステップＳ０２）。
【００３６】
次に、制御部３５０は、提供者コメント抽出処理（ステップＳ０３）を行う。提供者コメントの抽出は、後述する図４に示すＷｅｂドキュメント対応テーブルに基づいて判断される。なお、提供者コメント抽出処理の前に、提供者コメントが提供者コメント記憶部３７０に記憶される。この処理については、図３を用いて後述する。次に、制御部３５０は、検索結果をユーザ端末２００に送信する送信処理を行う（ステップＳ０４）。
【００３７】
図３に基づいて、提供者コメントが提供者コメント記憶部３７０に記憶される提供者コメント記憶処理について説明する。最初に、提供者が提供者コメントを、提供者端末１００を介して入力することを、検索サーバ３００に対して要求する。提供者端末１００は、この要求を、通信部２１０を介して検索サーバ３００に送信する。検索サーバ３００の制御部３５０は、この要求を受信したかを判断する（ステップＳ１０）。検索サーバの制御部３５０は、提供者コメントを入力する旨の要求があったと判断した場合には、提供者コメント入力受付処理を行う（ステップＳ１１）。提供者コメント入力受付処理とは、例えば、提供者に対して提供者コメントの入力を促すための入力ウィンドウに関する画像データ（例えば、後述する図７の入力ウィンドウ５００）を提供者端末１００に送信して、提供者コメントの入力を受け付ける処理である。
【００３８】
検索サーバ３００の制御部３５０は、提供者端末１００から入力された提供者コメントを受信した場合（ステップＳ１２）には、提供者コメントを提供者コメント記憶部３７０に記憶する（ステップＳ１３）。ここで、図４のＷｅｂドキュメント対応テーブルに示すように、この提供者コメントに対応したＷｅｂドキュメントと、このＷｅｂドキュメントのリンクデータと、このＷｅｂドキュメントに対応した提供者コメントとが関係づけられて、リンクデータ記憶部３６０あるいは、提供者コメント記憶部３７０に記憶されてもよい。図４のＷｅｂドキュメント対応テーブルでは、提供者コメントの内容が、Ｗｅｂドキュメント対応テーブル内に含まれているが、Ｗｅｂドキュメント対応テーブル自体は、リンクデータ記憶部３６０に記憶され、提供者コメントの内容は、提供者コメント記憶部３７０に記憶されてもよい。
【００３９】
次に、制御部３５０は、受信した提供者コメントのデータ量から、課金データを生成する（ステップＳ１４）。提供者コメントの文字数やバイト数から、提供者コメントのデータ量を判断し、これに対応した課金データを算出してよい。例えば、１バイト３００円とすれば、８０バイトで課金データは２４０００円となる。このように算出された課金データを、制御部３５０は、図４に示すように、Ｗｅｂドキュメント対応テーブルに関係づける。制御部３５０は、関係付けられた課金データをリンクデータ記憶部３６０に記憶する（ステップＳ１５）。
【００４０】
また、課金データは、上述のようにデータ量に基づいて算出されてもよいし、提供者に対して月額、日額等の定額を基本使用量として算出される態様であってもよい。また、これらの組合せとして、提供者に対して、基本使用量とデータ量に基づいて算出された金額の和が課金データとなって算出される態様であってもよい。
【００４１】
課金データの算出は、提供者コメントが検索結果に付随して表示される有効期限の長さに基づいて決定されてよい。例えば、制御部３５０が、提供者コメントのデータ量と、後述する有効期限データに基づいて課金データを算出する。例えば、１バイト、１日あたり３０円とすれば、データ量８０バイト、１０日間の有効期限で課金データは２４０００円となる。このように算出された課金データを、制御部３５０は、図４に示すように、Ｗｅｂドキュメント対応テーブルに関係づけてもよい。
【００４２】
図５は、ユーザ端末２００を使用するユーザが検索サーバ３００に対して検索処理を行わせた場合の検索結果（検索結果データ）を示した画面イメージ図である。検索結果データとは、提供者コメントとＷｅｂドキュメントのリンクデータを含み、ユーザ端末２００に検索結果として表示されるためのデータである。この例に従えば、ユーザは、ユーザ端末２００にウーロン茶４０５と入力し、検索サーバ３００に、この検索キーワードを送信する。検索サーバ３００は、検索キーワードである「ウーロン茶」を受信して、検索部３５５が、対応したＷｅｂドキュメントを検索する。検索部３５５は、検索結果として、Ｗｅｂドキュメントのタイトル４０７（リンクデータを含む）と提供者コメント４１０とを、ユーザ端末２００に送信し、受信したユーザ端末２００の制御部２５０が、これらのデータを表示部２３０に表示させる。
【００４３】
次に、図６に基づいて、検索サーバ３００が実行する提供者コメント削除処理について説明する。検索サーバ３００は、提供者コメント記憶処理のステップＳ１２にて、提供者コメントの入力を受け付ける。この際に、図７に示すように、提供者コメント５０２とともに、この提供者コメントを検索結果に表示させる期間となる有効期限データ５０３の入力を受け付ける。有効期限データの入力があったと判断した場合（ステップＳ２０）には、制御部３５０は、入力された有効期限データをリンクデータ記憶部３６０に記憶し、制御部３５０がこの有効期限データの有効期限の計測を開始する（ステップＳ２１）。
【００４４】
制御部３５０は、現在の経過時間あるいは現在の時刻から有効期限に達しているかを判断する（ステップＳ２２）。制御部３５０は、現在の経過時間あるいは時刻から有効期限に達していると判断した場合には、提供者コメント記憶部３７０に記憶された提供者コメントを削除する（ステップＳ２３）。例えば、有効期限データ５０３が、「３ヶ月」と入力された場合には、制御部３５０は、提供者コメントが入力された年月日と、有効期限データとして入力された３ヶ月の期限を記憶して、提供者コメントが入力された年月日から３ヶ月経過した日に、当該提供者コメントを削除する。
【００４５】
図７に、提供者端末１００に表示される、提供者コメントの入力を促す入力ウィンドウ５００の画像イメージ図を示した。入力ウィンドウ５００に関するデータは、検索サーバ３００から送信され、提供者端末１００に表示される態様であってよい。提供者端末１００からは、リンクデータ５０１と、提供者コメント５０２の入力を受け付け、上述の有効期限データが設定される場合には、有効期限データ５０３の入力も併せて受け付けられる。
【００４６】
図８にて、第２の実施形態を示す検索システム２を示した。検索システム２は、検索システム１の同様に、提供者端末１００ａ、ユーザ端末２００、検索サーバ３００ａが通信回線ネットワーク３０に接続されて構成されている。検索システム１との相違は、提供者端末１００ａの一時記憶部１７０と、検索サーバ３００ａのクローラ部３５９の構成である。
【００４７】
一時記憶部１７０は、提供者端末１００ａの入力部１２０を介して入力された提供者コメントが、制御部１５０により一時的に記憶される装置である。一時記憶部１７０には、提供者コメント、リンクデータ、有効期限データが記憶される。図９にて後述するように、一時記憶部１７０には、制御部３５０により実行される一時記憶処理により、提供者コメントが記憶される。
【００４８】
クローラ部３５９は、提供者端末１００ａの一時記憶部１７０に記憶された提供者コメントを定期的に取得する。クローラ部３５９は、図１０にて後述するクローラ処理を実行する。
【００４９】
図９に基づいて、提供者端末１００ａが実行する一時記憶処理について説明する。最初に、制御部１５０は、提供者コメント入力受付処理を実行する（ステップＳ３０）。提供者コメント入力受付処理とは、上述のように、例えば、提供者に対して提供者コメントの入力を促すための入力ウィンドウに関する画像データを表示部１３０に表示して、提供者コメントの入力を受け付ける処理である。
【００５０】
制御部１５０は、提供者コメントの入力があった場合（ステップＳ３２）には、一時記憶部１７０に提供者コメントを記憶する（ステップＳ３２）。ここで、提供者コメントに加えて、リンクデータ、有効期限データの入力を受け付けて、これらの各データを、制御部１５０が一時記憶部１７０に記憶してもよい。
【００５１】
次に、図１０に基づいて、検索サーバ３００ａが実行するクローラ処理について説明する。検索サーバ３００ａのクローラ部３５９は、前回、クローラ処理が実行された時間から、所定時間が経過したかを判断する（ステップＳ４０）。ここで、ステップＳ４０としては、クローラ部３５９が時計機能を備えることで、現在の時刻が予め定められた所定の時刻であるかを判断してもよい。すなわち、クローラ部３５９が本処理を実行する時間を提供者が予め定めておき、この所定の時刻である場合に、ステップＳ４１へ移行してもよい。
【００５２】
次に、検索サーバ３００ａは、一の提供者端末１００ａにアクセスする（ステップＳ４１）。すなわち、通信回線ネットワーク３０に複数の提供者端末１００ａ（Ｗｅｂサーバ）が接続され、これらの提供者端末１００ａの一の提供者端末に対して、アクセスを行う。クローラ部３５９は、アクセスした提供者端末１００ａから、一時記憶部１７０に記憶された提供者コメント（リンクデータ、有効期限データを含んでもよい）を取得する（ステップＳ４２）。
【００５３】
クローラ部３５９は、この提供者端末１００ａ以外の、他の提供者端末１００ａが存在するかを確認して、存在すると判断した場合（ステップＳ４３）には、他の提供者端末１００ａに対して、ステップＳ４１からの処理を行う。他の提供者端末１００ａが存在しないと判断した場合（ステップＳ４３）には、処理を終了する。ここで、検索サーバ３００ａが、提供者コメントを取得するべき提供者端末のアドレスを設定しておき、このアドレスに対して、提供者コメントを取得する態様であってよい。
【００５４】
上述の実施例にかかる検索サーバ３００によれば、Ｗｅｂドキュメント提供者は、自分のコメントを検索結果に付随して、ユーザ端末２００に表示させることが可能である。さらに、課金データを用いた検索サーバ３００の実施態様によれば、検索サーバ３００を運営する事業者が、Ｗｅｂドキュメント提供者から円滑に、この提供者コメントに関する課金データを処理、管理することが可能である。さらに、検索サーバ３００が、提供者コメントが有効期限に達すると削除処理を行う実施態様によれば、Ｗｅｂドキュメント提供者は、提供者コメントの有効期限を意識することなく、タイムリーな提供者コメントをユーザに提供することが可能である。
【００５５】
本発明は、一つの実施形態として、検索システム１にて動作する各コンピュータのコンピュータ・プログラムによって実現可能である。上記プログラムを格納する記憶媒体は、電子的、磁気的、光学的、電磁的、赤外線または半導体システム（または、装置または機器）あるいは伝搬媒体であることができる。コンピュータ可読の媒体の例には、半導体、磁気テープ、取り外し可能なコンピュータ可読の媒体の例には、半導体、磁気テープ、取り外し可能なコンピュータ・ディスケット、ランダム・アクセス・メモリ（RAM）、リードオンリー・メモリ(ROM)、磁気ディスクおよび光ディスクが含まれる。現時点における光ディスクの例には、コンパクト・ディスク−リードオンリー・メモリ(CD-ROM)、コンパクト・ディスク−リード／ライト(CD-R/W)およびDVDが含まれる。
【００５６】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００５７】
【図１】検索システム１の構成を示す図である。
【図２】検索サーバ３００が実行するメイン処理のフローチャート図である。
【図３】検索サーバ３００が実行する提供者コメント記憶処理のフローチャート図である。
【図４】Ｗｅｂドキュメント対応テーブルを示す図である。
【図５】検索サーバ３００の検索結果の一例を示す図である。
【図６】検索サーバ３００が実行する提供者コメント削除処理のフローチャート図である。
【図７】提供者コメントの入力を受け付ける際に、提供者端末１００に表示される入力ウィンドウ５００の画像イメージ図である。
【図８】検索システム２の構成の他の実施形態を示す図である。
【図９】提供者端末１００ａが実行する一時記憶処理のフローチャート図である。
【図１０】検索サーバ３００が実行するクローラ処理のフローチャート図である。
【符号の説明】
【００５８】
１  検索システム
３０  通信回線ネットワーク
１００  提供者端末
１１０  通信部
１２０  入力部
１３０  表示部
１５０  制御部
１７０  一時記憶部
２００  ユーザ端末
２１０  通信部
２２０  入力部
２３０  表示部
２５０  制御部
３００  検索サーバ
３１０  通信部
３５０  制御部
３５５  検索部
３５７  コメント抽出部
３５９  クローラ部
３６０  リンクデータ記憶部
３７０  提供者コメント記憶部
４０５  ウーロン茶
４０７  タイトル
４１０  提供者コメント
５０１  リンクデータ
５０２  提供者コメント
５０３  有効期限データ
【図１】
2007156687.tif 000003
【図２】
2007156687.tif 000004
【図３】
2007156687.tif 000005
【図４】
2007156687.tif 000006
【図５】
2007156687.tif 000007
【図６】
2007156687.tif 000008
【図７】
2007156687.tif 000009
【図８】
2007156687.tif 000010
【図９】
2007156687.tif 000011
【図１０】
2007156687.tif 000012